(57)【特許請求の範囲】
【請求項１】
布地にスチームを付与する蒸し機であって、前記蒸し機は、布地を収納するスチームが導入される密閉収納体と、該密閉収納体を布地の投入又は排出する略水平位置と、スチームを付与する略垂直位置に保持する収納体支持部材とから成り、該収納体支持部材は前記密閉収納体の略中央部に設けた一対の揺動軸を揺動自在に支持し、一方の揺動軸は駆動モータに連結し、他方の揺動軸はスチーム供給ホースに連結していることを特徴とする布地用蒸し機。
【請求項２】
前記収納体支持部材は一対の脚部を有し、該一対の脚部は横架部により互いに結合されている請求項１に記載の布地用蒸し機。
【請求項３】
前記密閉収納体が略垂直位置にある時に底面となる側にドレンバルブが装着されている請求項１または２に記載の布地用蒸し機。
【請求項４】
前記密閉収納体は圧力、温度を任意に設定できる蒸気供給機と接続している請求項１ないし３のいずれかに記載の布地用蒸し機。
【発明の詳細な説明】
【０００１】
【発明の属する技術分野】
本発明は、布地にスチームを付与する蒸し機に関する。
【０００２】
【従来の技術】
従来、布地にスチームを付与する蒸し機は、例えば染料等で着色した布地の色固定に用いられたり、或いは、布に弾力を持たせたり軟らかくして風合いを醸し出すために用いられている。そして布地にスチームを付与するには、一般に、複数段装架したローラに案内されながらジグザグ状に布地が連続走行できるスチーマ部を備えていた（特許文献１参照）。
【０００３】
【特許文献１】
特開平２００１−３２１８１号公報（段落００２１、図１）
【０００４】
【発明が解決しようとする課題】
しかしながら、従来の蒸し機は布地の全面に亘ってスチームを所要時間均一に付与するためには、長い距離に亘って布地をジグザク走行させなければならず、そのためにはスチーマ部を大型に構築し、数多くの案内ローラを配備しなければならず、装置の運転保守並びに取り扱いが煩雑であるという問題を有していた。また、小物類等布地にスチームを付与するには、別途専用の収容容器を必要としていた。
【０００５】
本発明は、このような問題点に着目してなされたもので、長状物の布地であっても装置を大型にすることなく、小物類の布地も含め布地の全面に亘ってスチームを均一に付与することができる取り扱いが極めて容易な布地用蒸し機を提供することを目的とする。
【０００６】
【課題を解決するための手段】
上記課題を解決するために、本発明の布地用蒸し機は、布地にスチームを付与する蒸し機であって、前記蒸し機は、布地を収納するスチームが導入される密閉収納体と、該密閉収納体を布地の投入又は排出する略水平位置と、スチームを付与する略垂直位置に保持する収納体支持部材とから成り、該収納体支持部材は前記密閉収納体の略中央部に設けた一対の揺動軸を揺動自在に支持し、一方の揺動軸は駆動モータに連結し、他方の揺動軸はスチーム供給ホースに連結していることを特徴としている。
この特徴によれば、この密閉収納体が略水平位置にあるときに、布地をスライドさせて出し入れでき，略垂直位置ではドレン水を排出しやすく、また駆動軸の一方を密閉収納体の回転駆動のために利用し、揺動軸の他方をスチームの供給のために利用することができるので、蒸し機の構成が簡素化され、取り扱いが極めて容易な布地用蒸し機を提供できる。
【０００７】
本発明の布地用蒸し機において、前記収納体支持部材は一対の脚部を有し、該一対の脚部は横架部により互いに結合されていることが好ましい。
このようにすれば、収納体支持部材が頑強に構築されるのでモータも取り付けることができる。
【０００８】
本発明の布地用蒸し機において、前記密閉収納体が略垂直位置にある時に底面となる側にドレンバルブが装着されていることが好ましい。
このようにすれば、スチーム供給時にドレン水が溜まっても、密閉収納体が略垂直状態であるから、ドレン水が布地に触れることなく底面よりドレンバルブを介して外部に放出することができる。
【０００９】
本発明の布地用蒸し機において、前記密閉収納体は圧力、温度を任意に設定できる蒸気供給機と接続していることが好ましい。
このようにすれば、繊維の種類に応じて過飽和水蒸気を安定供給できる。
【００１０】
【発明の実施形態】
以下、本発明の実施例を図面に基づいて説明する。
【００１１】
図１は、本発明の実施形態としての布地用蒸し機とこの蒸し機に接続されている蒸気供給機の全体像を示す斜視図、図２は、密閉収納体の部分側断面を含む蒸し機の正面図である。
【００１２】
図１〜図２により本発明の実施形態に係る布地用蒸し機の構成について説明する。図１に示されるように、１は布地用蒸し機を示し、２は布地用蒸し機１とは分離して用意されたボイラーを内蔵した蒸気供給機を示し、この布地用蒸し機１と蒸気供給機２の間には、蒸気供給機２から布地用蒸し機１へスチームを送るためのホース３が連結されている。本発明でいうスチームは、飽和水蒸のスチームが理想であるが、必ずしもこの状態にあるものだけを意味するものではない。
【００１３】
蒸し機１は、開閉自在な蓋板５を有する密閉収納体４と、この密閉収納体４を支えるための収納体支持部材６とで構成され、この収納体支持部材６は、脚部７ａ、７ｂと台座８とから成り、台座８は略円盤状をして、蒸し機１全体を支えると共に、ドレン９につながるソケット１０が設けられている。
【００１４】
また、脚部７ａ、７ｂは、中央にストッパー凸部１１を設けた横架部１２により互いに結合され、一方の脚部７ａには密閉収納体４の略中央部に設けた揺動軸１３ａ、１３ｂを介して密閉収納体４を揺動運動させるためのモータ１４が取り付けられている。
【００１５】
密閉収納体４の内部は、中空になっており布地１５を格納するための密閉蒸気室１６が形成されている。密閉収納体４の一端側は開口部が形成され、ヒンジ１７により揺動可能な蓋板５によりこの開口部が開閉される。そしてこの蓋板５は３個のロック用リングボルト１８ａ、１８ｂ、１８ｃにより、蓋板５を閉鎖状態にロックすることができる。蓋板５を開放する際には、３個のロック用リングボルト１８ａ、１８ｂ、１８ｃを外しヒンジ１７を中心に円弧状に開くことができる。
【００１６】
また、密閉収納体４の蓋板５と対向する側には、蒸気室１６内に溜まる水や水蒸気を抜くためのドレンバルブ１９が設けられている。更に密閉収納体４には、圧力計２０や温度センサー２１が設けられており、蒸気室１６内部の状況を監視できるようになっている。
【００１７】
モータ１４の駆動軸にはギア２２が設けられ、密閉収納体４の揺動軸１３ａに設けたギア２２’と噛合している。したがって、モータ１４の回転動力はギア２２、ギア２２’を介して揺動軸１３ａに伝達される。
【００１８】
これにより、密閉収納体４は、モータ１４の動力によって揺動軸１３ａ、１３ｂを中心として円弧状に９０度回転することができ、略垂直位置から略水平位置に、あるいはその逆に略水平位置から略垂直位置にすることができる。そして横架部１２に設けられたストッパー凸部１１は、モータ１４故障時や、手動で密閉収納体４を略水平位置にするときの回動位置規制と緩衝機能を有している。
【００１９】
蒸気供給機２から延びたホース３は、密閉収納体４に設けた一方の揺動軸１３ｂに接続している、この揺動軸１３ｂは、図２に示すように、中心がスチームを通すための管として構成されており、蒸気供給機２からホース３を通してスチームを密閉収納体４内の蒸気室１６に供給することができる。供給するスチームの圧力、温度、時間等は、蒸気供給機２により任意に制御できるので布地１５の種類や量により変更することができる。
【００２０】
密閉収納体４を略垂直位置にした状態において、ドレンバルブ１９を開放すると、蒸気室１６内部からドレン水が流出し、台座８に取り付けたソケット１０を介してドレン９へ排出される。
【００２１】
図２において、密閉収納体４は、円筒体２３、２４で二重になっており、この円筒体２３、２４の間には、スチームを供給するためのパイプ２５が通り、蒸気室１６内に設けられたノズル２６ａ、２６ｂ、２６ｃ、２６ｄがパイプ２５に繋がっている。
【００２２】
蒸気室１６は、芯材２７に巻きつけられた布地１５を収納できるスペースを有している。芯材２７は円筒体で構成され、芯材２７の内部より外部へスチームが供給できる複数の小孔２８が形成されている。また、芯材２７の両端には、固定ホイール２９ａ、２９ｂが取り付けられている。
【００２３】
固定ホイール２９ａ、２９ｂは、蒸気室１６内で芯材２７をその中心軸の位置に固定するためのものである。その一方の固定ホイール２９ｂは、ノズル２６ｄに連結されている。
【００２４】
蒸気供給機２から供給されたスチームは、密閉収納体４と脚部７ｂとの揺動軸１３ｂを通り、パイプ２５からノズル２６ａ、２６ｂ、２６ｃより噴射され、蒸気室１６内の布地１５を外側から蒸すことができる。
【００２５】
一方、パイプ２５からノズル２６ｄより供給されたスチームは、芯材２７の内部を通り小孔２８から噴出し、布地１５を内側からも蒸すことができるようになっている。また、密閉収納体４には、ドレンバルブ１９が設けられており、ドレンバルブ１９を開放すると、密閉収納体４を略垂直位置にしたときに蒸気室１６内に溜まった水を排出することができる。ドレンバルブ１９から流出した水は、ソケット１０に流れ込み、台座８のドレン９を通って排出される。
【００２６】
以下、図３〜図５により本発明の第１実施形態に係る布地用蒸し機の作業工程について説明する。図３の（ａ）は、不織布に布地を重ねた状態の平面図であり、（ｂ）は、布地を巻いた芯材に固定ホイールを取り付けるときの斜視図であり、図４の（ａ）は、不織布にシャツを重ねた状態の平面図であり、（ｂ）は、シャツを不織布と共に巻いたときの斜視図であり、図５は、蒸気室に巻いた布地を挿入するときの斜視図である。
【００２７】
図３（ａ）において、蒸されるべき布地１５の下に不織布３０を敷くと共に、不織布３０の端部近傍上面に芯材２７を設置する。不織布３０は、スチームをよく流通させる材質で構成されている。布地１５を芯材２７に巻きつける際には、不織布３０と共に巻きつけるが、最初に不織布３０の端部を芯材２７に巻きつけた後に、両者を共巻きにする。
【００２８】
図３（ｂ）に示すように、固定ホイール２９ａ、２９ｂは、円形をしており、その中心が芯材２７の両端に連結されるようになっている。
【００２９】
芯材２７の両端に固定ホイール２９ａ、２９ｂを取り付けることで、芯材２７が蒸気室１６内で定位置に固定されるので布地が蒸気室１６の内壁に触れるのを防ぐことができる。
【００３０】
布地１５と共に巻きつけるものとして、本実施例では不織布を使用したが、不織布３０に限ることなく、網状のシートやすだれ状のものなど、布地１５の表面が互いに触れ合うのを防ぎ、スチームをよく通すものであればいかなるシートであってもよい。
【００３１】
また、蒸される布地１５は、長状物の布地１５でなくても、図４の（ａ）に示すように、シャツ１５’のような物やブラウス、ハンカチ等の小物であっても、図４の（ｂ）に示すように、不織布３０と共に巻くことで蒸すことができるようになる。
【００３２】
図５に示すように、芯材２７に巻き付けた布地１５は、密閉収納体４を略水平位置にしてスライド移動させながら蒸気室１６内に挿入される。挿入後は蓋板５を閉じて３個のロック用リングボルト１８ａ、１８ｂ、１８ｃを締め付けて密閉する。その後密閉収納体４を略垂直位置にして蒸気室１６内部にスチームを流入させる。
【００３３】
次に、第２実施形態に係る布地用蒸し機につき、図６〜図７を参照して説明する。なお、上記実施形態と同一構成で重複する説明を省略する。
【００３４】
図６（ａ）に示すのは、第２実施形態に係る布地３１であり、この布地３１はあえてシワ加工するために３１’に示すようにねじってある。
【００３５】
図６（ｂ）に示したのは、円筒状蒸しケース３２であり、この円筒状蒸しケース３２は、一方が開放された円筒体をしておりその表面には円筒体内にスチームが流通できる複数の小孔３３が形成されている。更に開口部を塞ぐことのできる蓋３４が取り付け可能である。
【００３６】
図７（ａ）は、ねじった布地３１’を蒸しケースに挿入するときの斜視図であり、この布地３１’を円筒状蒸しケース３２の中に挿入し、蓋３４で開口端を閉じる。
【００３７】
更に詳しくは、図７（ｂ）に示すように、円筒状蒸しケース３２は、密閉収納体４を略水平状態にしてスライド移動させながら蒸気室１６内に挿入される。挿入後は蓋板５を閉じて３個のロック用リングボルト１８ａ、１８ｂ、１８ｃを締め付けて密閉する。その後、密閉収納体４を略垂直状態にして蒸気室１６内部にスチームを流入させる。
【００３８】
本発明の布地にスチームを付与する蒸し機は、例えば染料等で着色した布地の色固定に用いられたり、熱可塑性の形状記憶布のシワ加工、或いは、布に弾力を持たせたり軟らかくして風合いを醸し出すために用いることができる。
【００３９】
また、少量生産の布地や試作品などにスチームを付与することにもむいており、且つ、蒸し機本体にキャスターを取り付ければ移動も容易にできるようになる。
【００４０】
以上、本発明の実施例を図面により説明してきたが、具体的な構成はこれら実施例に限られるものではなく、本発明の要旨を逸脱しない範囲における変更や追加があっても本発明に含まれる。
【００４１】
例えば、布地のプリーツ加工をする際には、山と谷を形成した２枚の型紙に、布地を挟んで折目をつけ、型紙に挟んだ状態のまま円筒状蒸しケースに入れて、蒸気室に挿入することができる。
【００４２】
また、布地のシワ加工のために、糸やゴム、ひも等で縛ったり、くくったりして変形させ、円筒状蒸しケースの中に入れ、蒸気室に挿入することもできる。
【００４３】
【発明の効果】
本発明は以下の効果を奏する。
【００４４】
（ａ）請求項１に記載の発明によれば、この密閉収納体が略水平位置にあるときに、布地をスライドさせて出し入れでき，略垂直位置ではドレン水を排出しやすく、また駆動軸の一方を密閉収納体の回転駆動のために利用し、揺動軸の他方をスチームの供給のために利用することができるので、蒸し機の構成が簡素化され、取り扱いが極めて容易な布地用蒸し機を提供できる。
【００４５】
（ｂ）請求項２に記載の発明によれば、収納体支持部材が頑強に構築されるのでモータも取り付けることができる。
【００４６】
（ｃ）請求項３に記載の発明によれば、スチーム供給時にドレン水が溜まっても、密閉収納体が略垂直状態であるから、ドレン水が布地に触れることなく底面よりドレンバルブを介して外部に放出することができる。
【００４７】
（ｄ）請求項４に記載の発明によれば、繊維の種類に応じて過飽和水蒸気を安定供給できる。
【図面の簡単な説明】
【図１】本発明の実施形態としての布地用蒸し機と該蒸し機に接続されている蒸気供給機の全体像を示す斜視図である。
【図２】密閉収納体の部分側断面を含む蒸し機の正面図である。
【図３】本発明の第１実形態に係る布地を示すものであり、（ａ）は、不織布に布地を重ねた状態の平面図であり、（ｂ）は、布地を巻いた芯材に固定ホイールを取り付けるときの斜視図である。
【図４】（ａ）は、不織布にシャツを重ねた状態の平面図であり、（ｂ）は、シャツを不織布と共に巻いたときの斜視図である。
【図５】蒸気室内に芯材に巻いた布地を挿入するときの斜視図である。
【図６】本発明の第２実形態に係る布地を示すものであり、（ａ）は、ねじった布地であり、（ｂ）は、円筒状蒸しケースを示す斜視図である。
【図７】（ａ）は、ねじった布地を円筒状蒸しケースに挿入する斜視図であり、（ｂ）は、蒸気室に蒸しケースを挿入するときの斜視図である。
【符号の説明】
１              蒸し機
２              蒸気供給機
３              ホース
４              密閉収納体
５              蓋板
６              収納体支持部材
７ａ、７ｂ      脚部
８              台座
９              ドレン
１０            ソケット
１１            ストッパー凸部
１２            横架部
１３ａ、１３ｂ  揺動軸
１４            モータ
１５            布地
１５’          シャツ
１６            蒸気室
１７            ヒンジ
１８ａ、１８ｂ  リングボルト
１８ｃ          リングボルト
１９            ドレンバルブ
２０            圧力計
２１            温度センサー
２２、２２’    ギア
２３、２４      円筒体
２５            パイプ
２６ａ、２６ｂ  ノズル
２６ｃ、２６ｄ  ノズル
２７            芯材
２８            小孔
２９ａ、２９ｂ  固定ホイール
３０            不織布
３１            布地
３１’          布地
３２            蒸しケース
３３            小孔
３４            蓋
【図１】
0003553925.tif 000002
【図２】
0003553925.tif 000003
【図３】
0003553925.tif 000004
【図４】
0003553925.tif 000005
【図５】
0003553925.tif 000006
【図６】
0003553925.tif 000007
【図７】
0003553925.tif 000008